(57)【要約】  細長い部材を経路決めするとともに保護するための織られたスリーブ、ならびにその構築方法が提供給される。スリーブは、両端部間で中心軸に沿って延在する周方向に連続した外周を有する織られた壁を有する。縦糸は中心軸に概ね平行に延在し、横糸は縦糸に対して概ね横方向に延在する。壁の少なくとも一部は、互いに当接する複数の層を有する。横糸の少なくとも１本は、直径方向に拡大された組付け部品の第１の状態にとどまってスリーブの細長い部材の周りへの組付けを容易にする能力を有する壁を提供する収縮可能な糸として提供給される。そうすると、壁は、直径方向に縮径された組み付けられた第２の状態に径方向に縮径されてスリーブを所望の位置に維持することができるとともに、外周を最小化して狭い空間でのスリーブの使用を容易にする。
2019525024.tif 000002
【特許請求の範囲】
【請求項１】
細長い部材を経路決めするとともに保護するためのテキスタイルスリーブであって、
両開放端部間で中心軸に沿って延在する中央キャビティを画定する周方向に連続した管状の外周を有する細長い織られた壁を備え、前記壁は、前記中心軸に概ね平行に延在する縦糸と、前記縦糸に対して概ね横方向に延在する横糸とを含み、前記壁は、前記外周の別の部分の周りに各々延在する別の第１の部分および前記部分を有し、前記第１の部分は、互いに重なって当接し、かつ前記第１の部分と第２の部分との間および前記両端部間に延在する一対の相互接続領域に沿って互いに取り付けられる複数の層を有し、前記横糸の少なくともいくつかは、前記壁が直径方向に拡大された第１の状態から直径方向に縮径された第２の状態まで径方向に縮径されることを可能にする収縮可能な糸を含む、テキスタイルスリーブ。
【請求項２】
前記相互接続領域は、前記横糸の少なくとも１本によって形成される、請求項１に記載のテキスタイルスリーブ。
【請求項３】
前記複数の層を前記相互接続領域間で互いに相互接続する少なくとも１つのステッチをさらに備え、前記少なくとも１つのステッチは、前記複数の層の間で従来して延在する前記横糸の少なくとも１本によって形成される、請求項１に記載のテキスタイルスリーブ。
【請求項４】
前記少なくとも１つのステッチは、前記複数の層を前記相互接続領域の間で互いに相互接続する複数のステッチを含む、請求項３に記載のテキスタイルスリーブ。
【請求項５】
前記複数の層を前記相互接続領域の間で互いに相互接続する少なくとも１つのステッチをさらに備え、前記少なくとも１つのステッチは、前記複数の層の間で従来して延在する前記縦糸のうちの少なくとも１本によって形成される、請求項１に記載のテキスタイルスリーブ。
【請求項６】
前記少なくとも１本の縦糸は、前記複数の層の最外層の緯糸の上および前記複数の層の最内層の緯糸の下に延在する、請求項５に記載のテキスタイルスリーブ。
【請求項７】
前記少なくとも１本の縦糸は、前記複数の層を前記両端部間で連続的に相互接続する、請求項６に記載のテキスタイルスリーブ。
【請求項８】
前記壁の前記第１の部分は、第１の層数を有し、前記壁の前記第２の部分は、第２の層数を有し、前記第１の層数は、前記第２の層数と異なる、請求項１に記載のテキスタイルスリーブ。
【請求項９】
前記第２の層数は、１層以上である、請求項１に記載のテキスタイルスリーブ。
【請求項１０】
前記第２の層数は、１である、請求項９に記載のテキスタイルスリーブ。
【請求項１１】
前記第１の層数は、２である、請求項１０に記載のテキスタイルスリーブ。
【請求項１２】
前記第２の部分は、前記一対の相互接続領域に沿って互いに取り付けられる複数の層を有する、請求項１に記載のテキスタイルスリーブ。
【請求項１３】
前記第１の部分および前記第２の部分の各々の前記複数の層を前記相互接続領域間で互いに相互接続する前記横糸の少なくとも１本によって形成される少なくとも１つのステッチをさらに含む、請求項１２に記載のテキスタイルスリーブ。
【請求項１４】
前記第１の部分および前記第２の部分の各々の前記複数の層を前記相互接続領域間で互いに相互接続する前記縦糸のうちの少なくとも１本によって形成される少なくとも１つのステッチをさらに含む、請求項１２に記載のテキスタイルスリーブ。
【請求項１５】
前記縦糸および前記横糸の少なくとも１本は、前記収縮可能な糸の融点よりも低い融点を有する低融点糸を含む、請求項１に記載のテキスタイルスリーブ。
【請求項１６】
直径方向に拡大された組付け部品の前記第１の状態は、第１の直径を有し、直径方向に縮径された前記第２の状態は、第２の直径を有し、前記第１の直径と前記第２の直径との比率は、約１．５：１〜５：１の間またはそれ以上である、請求項１に記載のテキスタイルスリーブ。
【請求項１７】
テキスタイルスリーブを構築する方法であって、
細長い壁を、前記壁の両開放端部間で中心軸に概ね平行に延在する縦糸と、前記縦糸に対して概ね横方向に延在する横糸とで織ることと、
前記壁の少なくとも一部を、互いに前記中心軸の共通する側に沿って互いに重なって当接する織られた複数の層を有して形成することと、
互いに重なって当接する前記複数の層および前記壁の残部が、前記両開放端部間で延在する単一の共通するキャビティを画定するように、周方向に連続している織られた壁を形成することと、を備え、前記キャビティは、その中への保護対象となる細長い部材の受容のためにサイズ決めされ、前記方法はさらに、
前記横糸のうちの１つ以上を、収縮可能な糸であるものとして提供することを備え、前記収縮可能な糸は、直径方向に拡大された第１の状態から直径方向に縮径された第２の状態まで径方向に縮径される能力を有する前記壁を提供する、方法。
【請求項１８】
重なって当接する前記複数の層を、当接する層の他方のそれぞれの縦糸または緯糸の周りに結ばれる、当接する層の一方の緯糸または縦糸を介して、別個の位置で、互いに分離不能かつ固定された配置で織ることをさらに含む、請求項１７に記載の方法。
【請求項１９】
互いに重なって当接する前記複数の層を、前記外周の実質的に全体の周りに延在するように織ることをさらに含む、請求項１７に記載の方法。
【請求項２０】
前記外周の別個の部分の周りに互いに重なって当接する前記複数の層を織り、前記外周の残部の周りに延在する単一の層を織ることをさらに含む請求項１７に記載の方法。
【請求項２１】
互いに前記中心軸の直径方向に対向する側に沿って延在する対向する側を有する前記壁を織ることと、第１の層数を有する前記側のうちの一方を織ることと、第２の層数を有する前記側のうちの他方を織ることとをさらに含み、前記第１の層数および前記第２の層数は異なる、請求項１７に記載の方法。
【請求項２２】
前記少なくとも１本の収縮可能な糸を、熱、流体、および紫外線照射の少なくとも１つの選択された印加を介して収縮させるように活性化可能であるものとして提供することをさらに含む、請求項１７に記載の方法。
【請求項２３】
前記少なくとも１本の収縮可能な糸を、非収縮可能な糸との単一のピックとして織ることをさらに含み、前記収縮可能な糸および前記非収縮可能な糸は、互いに、撚り合わされ、供給され、または挿入される、請求項１７に記載の方法。
【請求項２４】
前記縦糸を、マルチフィラメントおよび／またはモノフィラメントとして提供することをさらに含む、請求項１７に記載の方法。
【請求項２５】
前記壁を、収縮されていない第１の状態から収縮された第２の状態へ、２倍以上密度を増加させるように織ることをさらに含む、請求項１７に記載の方法。
【請求項２６】
前記壁を、残りの糸のそれよりも低い融点を有する低融点糸を含むように織ることをさらに含み、前記低融点糸は、切断端部において最小の端部ほつれを有する長さに前記スリーブを切断することを容易にするために、融解され固化されることができる、請求項１７に記載の方法。
【請求項２７】
第１の直径を有する直径方向に拡大された収縮されていない、組付け部品の前記第１の状態を提供し、第２の直径を有する直径方向に収縮された完全に組み付けられた前記第２の状態を提供することをさらに含み、前記第１の直径と前記第２の直径との間の比率は、約１．５：１〜５：１またはそれ以上の間の範囲にわたることができる、請求項１７に記載の方法。
【請求項２８】
互いに重なって当接する前記複数の層の他とは異なるタイプの糸材料を有する、互いに重なって当接する前記複数の層の少なくとも１つを織ることをさらに含む、請求項１７に記載の方法。
【請求項２９】
互いに重なって当接する前記複数の層の他とは異なる織パターンを有する、互いに重なって当接する前記複数の層の少なくとも１つを織ることをさらに含む、請求項１７に記載の方法。
【発明の詳細な説明】
【技術分野】
【０００１】
関連出願の相互参照
この出願は、２０１６年８月２４日に提出された米国仮出願連続番号第６２／３７８，９６８号および２０１７年８月２３日に提出された米国特許出願連続番号第１５／６８４，８５７号の利益を主張し、参照によりその内容全体がここに組み込まれる。
【０００２】
本発明の背景
１．技術分野
この発明は、概して、細長い部材を保護するためのテキスタイルスリーブ、より特定的には、耐衝撃性のある収縮可能な織られた管状スリーブに関する。
【背景技術】
【０００３】
２．関連技術
織られた（woven）スリーブの中に、ワイヤ、ワイヤハーネス、ケーブルおよび様々なタイプの管などの細長い部材を収容して、細長い部材への衝撃および摩耗、流体ならびに熱的影響に対する保護を提供することが知られている。スリーブおよびその内容物に対するダメージを防ぐために高い耐衝撃性が必要とされる用途においては、巻付可能であり周方向に連続的でもある管状スリーブが知られている。各々は衝撃力および摩耗に対する好適な保護を提供するために作製され得るが、各々は欠点を伴う。巻付可能なスリーブは、クランプ、ストラップ、テープなどの、保護されている細長い部材の周りにそれらを固定するための二次的な固定具を要求するため、組付けの間に追加の労力および時間が要求され、これにより組付けの費用を増加させる。さらに、二次的な固定具を在庫に置いておく必要があることは、費用がかかる。またさらに、二次的な固定具は、使用の間にほどける可能性を呈することがあり、これにより細長い部材の環境影響に対する直接の暴露の危険を与える。加えて、巻付可能なスリーブは、典型的には、対向する縁部が互いに重なる不均一な厚さを有するため、スリーブの外囲／表面は、不均一な外観を有し、狭いエリアで用いられることを妨げることがあり、または他の態様では組付けを困難にすることがある、増加された厚さの領域を有する。巻付可能なスリーブに対する別の欠点は、異なる直径の用途のために異なるサイズを在庫に置いておく必要性であり、これは棚卸しおよび費用をさらに増加させる。加えて、所望の耐衝撃性を提供するためには、一般的に、比較的厚い壁を形成する必要があり、比較的狭い空間では巻付可能なスリーブを使用することをできなくすることがある。
【発明の概要】
【発明が解決しようとする課題】
【０００４】
周方向に連続した管状スリーブに関しては、巻付可能なスリーブと同様に、異なる直径の用途のために異なるサイズを在庫に置く必要性が存在する。さらに、管状スリーブは、一般に、直径が固定されており、このように、細長い部材がスリーブの内径に対して１つ以上の増加されたサイズの領域を有する用途においては、このスリーブのタイプを使用することを困難または不可能にし得るため、スリーブは、増加されたサイズの領域上に適合し得ない。増加されたサイズの領域は、たとえば拡大された機械的または電子コネクタによって提示され得る。さらに、固定された直径の管状スリーブは、典型的には、たとえば、端部のうちの一方または両方の周りおよびスリーブを通って延在する部材上にテープを施すことによるなどして、所定の位置にそれらを固定するための二次的な固定具を必要とする。したがって、それらは、巻付可能なスリーブについて上述された同様の欠点に悩まされる。加えて、上述されたように、所望の耐衝撃性を提供するためには、一般的に、比較的厚い壁を形成する必要があるため、比較的狭い空間でスリーブを使用する能力を損なう。
【０００５】
したがって、必要とされるのは、そこに含まれる細長い部材に対して特に衝撃、摩耗および汚染に対する高められた保護を提供し、二次的な固定機構の必要なく使用中に所定の位置に固定されたままとなり、細長い部材の直径の幅範囲を超えて設置するのに有用かつ容易であり、製造および組付けにおいて経済的であり、かつ長く有効な寿命を示すスリーブである。
【課題を解決するための手段】
【０００６】
本発明の概要
本開示の１つの局面は、細長い部材を経路決めするとともに保護するためのモノリシックな一片のテキスタイルスリーブを提供する。スリーブは、両開放端部間で中心軸に沿って延在する周方向に連続した管状の外周を有する細長い織られた壁を含む。壁は、中心軸に概ね平行に延在する縦糸と、縦糸に対して概ね横方向に延在する横糸とを含む。壁の少なくとも一部は、多層化されており、互いに重なる複数の層を含む。複数の層は、互いに中心軸の同じ側に互いに当接する。１つ以上の横糸は、収縮可能な糸として提供給される。収縮可能な糸は、保護対象となる細長い部材の周りにおけるスリーブの組付けを容易にするための組付け部品の状態ともよばれる直径方向に拡大された第１の状態から、スリーブを所望の位置に固定および維持するのを容易にするための組み付けられた状態ともよばれる直径方向に縮径された第２の状態まで径方向に縮径される能力を有する壁を提供するとともに、外囲／外周を最小化して狭い空間におけるスリーブの使用を容易にする。
【０００７】
本発明の別の局面によれば、互いに重なって当接する複数の層は、当接する層の互いからの分離を防ぐために、別個の位置において、当接する複数の層に対して共通する少なくとも１本の緯糸および／または少なくとも１本の縦糸を介して、ともに固定され得る。これにより、当接する層の間への保護されている細長い部材の不注意による挿入を防止する。
【０００８】
本発明の別の局面によれば、互いに重なって当接する複数の層は、層の最外のものの中の緯糸の上およびスリーブの軸方向に延在する長さに沿って層の最内のものの中の緯糸の下に蛇行する少なくとも１本の縦糸を介して、ともに固定され得る。
【０００９】
本発明の別の局面によれば、互いに重なって当接する複数の層は、層の１つから延在しかつ重なって当接する層の他のものの中の１つ以上の縦糸の上に蛇行する少なくとも１本の緯糸を介して、層の互いからの分離を防止するために、ともに固定され得る。
【００１０】
本発明の別の局面によれば、互いに重なって当接する複数の層は、外周の実質的に全体の周りに延在し得る。
【００１１】
本発明の別の局面によれば、互いに重なって当接する複数の層は、外周の選択した周方向に延在する多層部分の周りに延在し得る。単一層が多層部分の対向する縁部間の外周の残部の周りに延在する。したがって、壁の増加された厚さ領域は、衝撃力、摩耗、熱条件に対する高められた保護を提供するために特に所望の領域に形成され得る、またはそうでなければ、一方で、高められた保護の度合いを要求することのない領域に単一層領域が設けられ得る。このように、スリーブは、スリーブが比較的狭い空間において使用されることを可能にする最適な外囲／外周を有するとともに、スリーブの製造および材料含有量に関する費用を最小化して作製されることができる。
【００１２】
本発明の別の局面によれば、織られた壁は、直径方向に対向する側を有する。側のうちの一方は、第１の層数を有し、側のうちの他方は、第２の層数を有する。第１の層数および第２の層数は、互いに異なるものとして提供されてもよく、これにより互いに異なる衝撃力に対する保護の度合いを提供し、所用の用途のために最適な厚さおよび外囲／外周を有する壁を提供する。
【００１３】
本発明の別の局面によれば、少なくとも１本の収縮可能な緯糸は、熱、流体、および紫外線照射の少なくとも１つの選択された印加を介して収縮するように活性化され得る。
【００１４】
本発明の別の局面によれば、少なくとも１本の収縮可能な横糸は、互いに、撚り合わされる、供給される、または挿入される収縮可能な糸および非収縮可能な糸を介して、少なくとも１本の非収縮可能な糸との共通の糸として、単一のピックで織られ得る。
【００１５】
本発明の別の局面によれば、縦糸は、任意の所望の材料からなるマルチフィラメントおよび／またはモノフィラメントとして提供され得る。
【００１６】
本発明の別の局面によれば、縦糸は、ＰＥＴ、ナイロン、ＰＰ、ＰＥ、ＰＰＳ、ＰＥＥＫ、およびノメックス（Nomex）のうちの少なくとも１つ以上として提供され得る。
【００１７】
本発明の別の局面によれば、壁は、残りの糸のそれよりも低い融点を有する低融点糸を含んで織られ得る。低融点糸は、融解される際、スリーブを所定の長さに切断し、端部ほつれの可能性を最小化することを容易にする。
【００１８】
本発明の別の局面によれば、直径方向に拡大された第１の状態は、第１の直径を有して提供され得、直径方向に縮径された第２の状態は、第２の直径を有して提供され得る。それぞれの第１の直径と第２の直径との間の比率は、約１．５：１〜５：１またはそれ以上の間の範囲にわたり得る。
【００１９】
本発明の別の局面によれば、互いに重なって当接する複数の層の少なくとも１つは、少なくとも部分的に互いに重なって当接する複数の層の他のものとは異なるタイプの糸材料から形成され得る。
【００２０】
本発明の別の局面によれば、互いに重なって当接する複数の層の少なくとも１つは、互いに重なって当接する複数の層の他とは異なる織パターンを有して形成され得る。
【００２１】
本発明のさらに別の局面によれば、細長い部材を経路決めするとともに保護するためのモノリシックな一片のテキスタイルスリーブを構築する方法が提供給される。上記方法は、細長い壁を、壁の両開放端部間で中心軸に概ね平行に延在する縦糸と、縦糸に対して概ね横方向に延在する横糸とで織ることを含む。壁の少なくとも一部は、互いに中心軸の共通の側に沿って互いに重なって当接する織られた複数の層を有して形成される。さらに、互いに重なって当接する複数の層および壁の残部が、両開放端部間で延在する単一の共通のキャビティを画定するように、周方向に連続している織られた壁を形成することを含む。キャビティは、その中への保護対象となる細長い部材の受容のためにサイズ決めされる。またさらに、横糸の１本以上を、収縮可能な糸であるものとして提供することを含む。収縮可能な糸は、直径方向に拡大された第１の状態から直径方向に縮径された第２の状態まで径方向に縮径される能力を有する壁を提供する。
【００２２】
本発明の別の局面によれば、上記方法は、当接する層の互いからの不注意による分離を防止するために、重なって当接する複数の層を、当接する層の他方のそれぞれの縦糸および／または緯糸の周りに結ばれる、当接する層の一方の縦糸および／または緯糸を介して、別個の位置で、互いに分離不能かつ固定された配置で織ることをさらに含む。これにより、当接する層の間に保護される細長い部材の不注意による分離を防止する。
【００２３】
本発明の別の局面によれば、上記方法は、少なくとも１本の縦糸を、スリーブの軸方向に延在する長さに沿って層の最外のものの中の緯糸の上および層の最内のものの中の緯糸の下に蛇行させるように織ることによって、互いに重なって当接する複数の層をともに固定することをさらに含み得る。これにより、互いに固定される層の間への保護対象となる細長い部材の不注意による挿入を防止する。
【００２４】
本発明の別の局面によれば、上記方法は、層の１つからの少なくとも１つの緯糸を、複数の層の他のものの中の１つ以上の縦糸の上または下に蛇行させるように織ることによって、互いに重なって当接する複数の層をともに固定することをさらに含み得る。これにより、互いに固定される層の間への保護対象となる細長い部材の不注意による挿入を防止する。
【００２５】
本発明の別の局面によれば、上記方法は、互いに重なって当接する複数の層を、外周の実質的に全体の周りに延在するように織ることをさらに含み得る。
【００２６】
本発明の別の局面によれば、上記方法は、外周の別個の部分の周りに互いに重なって当接する複数の層を織り、外周の残部の周りに延在する単一層を織ることをさらに含み得る。
【００２７】
本発明の別の局面によれば、上記方法は、互いに中心軸の直径方向に対向する側に沿って延在する対向する側を有する壁を織り、側のうちの一方を第１の層数を有して織り、側の他方を第２の層数を有して織ることをさらに含み得る。第１の層数および第２の層数は異なる。これにより衝撃力に対するなど、異なるレベルの保護を有する壁を提供し、所用の用途のために最適な厚さおよび外囲／外周を有する壁を提供する。
【００２８】
本発明の別の局面によれば、上記方法は、少なくとも１本の収縮可能な糸を、熱、流体、および紫外線照射の少なくとも１つの選択された印加を介して収縮するように活性化可能であるものとして提供することをさらに含み得る。
【００２９】
本発明の別の局面によれば、上記方法は、少なくとも１本の収縮可能な糸を、非収縮可能な糸を有する単一のピックとして織ることをさらに含み得る。収縮可能な糸および非収縮可能な糸は、互いに撚り合わされ、供給され、または挿入される。
【００３０】
本発明の別の局面によれば、上記方法は、縦糸を、マルチフィラメントおよび／またはモノフィラメントとして提供することをさらに含み得る。
【００３１】
本発明の別の局面によれば、上記方法は、縦糸を、ＰＥＴ、ナイロン、ＰＰ、ＰＥ、ＰＰＳ、ＰＥＥＫ、およびノメックス糸のうちの少なくとも１つ以上として提供することをさらに含み得る。
【００３２】
本発明の別の局面によれば、上記方法は、収縮されていない第１の状態から収縮された第２の状態へ、密度を２倍以上に増加させるように壁を織ることをさらに含み得る。
【００３３】
本発明の別の局面によれば、上記方法は、残りの糸のそれよりも低い融点を有する低融点糸を含むように壁を織ることをさらに含み得る。低融点糸は、切断された端部において最小の端部ほつれとなるようにスリーブを所定の長さに切断することを容易にするために、融解され固化され得る。
【００３４】
本発明の別の局面によれば、上記方法は、第１の直径を有する直径方向に拡大された収縮されていない組付け部品の第１の状態を提供し、第２の直径を有する直径方向に収縮された完全に組み付けられた第２の状態を提供することをさらに含み得る。第１の直径と第２の直径との間の比率は、約１．５：１〜５：１の間またはそれ以上の範囲にあり得る。
【００３５】
本発明の別の局面によれば、上記方法は、互いに重なって当接する複数の層の他とは異なるタイプの糸材料を有する、互いに重なって当接する複数の層の少なくとも１つを織ることをさらに含み得る。
【００３６】
本発明の別の局面によれば、上記方法は、互いに重なって当接する複数の層の他とは異なる織パターンを有する、互いに重なって当接する層の少なくとも１つを織ることをさらに含み得る。
【００３７】
これらのおよび他の局面、構成ならびに利点は、現在好ましい実施形態およびベストモードの以下の詳細な説明、添付された請求項、ならびに添付の図面を参照して、当業者にとってより容易に理解されるだろう。
【図面の簡単な説明】
【００３８】
【図１】完全に組み立てられるには満たない拡張された状態で示される、本発明の１つの局面に従って構築される、管状の織られたスリーブの概略斜視図である。
【図１Ａ】スリーブが完全に組み付けられた縮められた状態で示される、図１に類似の図である。
【図２Ａ】図１のスリーブの壁の異なる実施形態の、図１の線２−２に概ね沿った概略断面図である。
【図２Ｂ】図１のスリーブの壁の異なる実施形態の、図１の線２−２に概ね沿った概略断面図である。
【図２Ｃ】図１のスリーブの壁の異なる実施形態の、図１の線２−２に概ね沿った概略断面図である。
【図２Ｄ】図１のスリーブの壁の異なる実施形態の、図１の線２−２に概ね沿った概略断面図である。
【図３Ａ】図２Ａの実施形態の緯糸および縦糸を示す図である。
【図３Ｂ】図２Ｂの実施形態の緯糸および縦糸を示す図である。
【図３Ｃ】図２Ｃの実施形態の緯糸および縦糸を示す図である。
【図３Ｄ】図２Ｄの実施形態の緯糸および縦糸を示す図である。
【図４】図２Ｄおよび図３Ｄを参照して説明されるようなスリーブの斜視図である。
【図５】本発明の１つの局面に従って構築される、管状の織られたスリーブの概略斜視図である。
【図５Ａ】図５を参照して説明されるようなスリーブの斜視図である。
【図６】その緯糸および縦糸を示し、互いに重なる複数の層を繋ぐ相互接続領域を示す、図５のスリーブの壁の部分図である。
【図７】図５のスリーブの織パターンダイアグラムである。
【発明を実施するための形態】
【００３９】
好ましい実施形態の詳細な説明
図面をより詳細に参照すると、図１は、保護対象となる細長い部材１２の周りに配置されるように示される、本発明の１つの局面に従って構築される、以下スリーブ１０とよばれる、モノリシックな単一片の織られた保護管状スリーブを概略的に示す。スリーブ１０は、直径方向に拡大された組付け部品の第１の状態で示される。図１Ａは、細長い部材１２の周りにおける直径方向に縮径された完全に組み付けられた第２の状態のスリーブ１０を示す。スリーブ１０は、両開放端部２０，２２間で中心長手方向軸１８に沿って延在する、周方向に連続した管状の外周１６および内側キャビティ１７を有する、細長い織られた壁１４を含む。周方向に連続的かつ管状であることによって、スリーブ１０は、長手方向に延在する自由側縁部を有しないということが理解されるべきである。壁１２は、糸２４がそこから真に平行であってもよくまたはわずかに曲げられていてもよいことを一般的に意味する、軸１８に概ね平行に延在する縦糸２４と、糸２６が縦糸に対して真に横方向にあってもよくまたはわずかにそこから垂直でなくてもよいことを一般的に意味する、縦糸２４対して概ね横方向に延在する横糸２６とを含む。完全に両端部２０，２２間に延在する壁１４の少なくとも一部は、多層化されており、互いに重なって当接する複数の層を有する。横糸２６のうちの少なくともいくつか、場合によってすべてが、少なくとも１本の収縮可能な糸を含む。収縮可能な横糸２６は、直径方向に拡大された組付け部品の第１の状態（図１）から直径方向に縮径された完全に組み付けられた第２の状態（図１Ａ）まで径方向に縮められる能力を有する壁１４を提供する。スリーブ１０は、たとえばワイヤ、ワイヤハーネスまたは管などのキャビティ１７を通って延在する細長い部材１２を、経路決めし、衝撃力からのダメージに対して保護するとともに、摩耗に対する暴露および汚染、瓦礫などの侵入に対する保護を提供することを、基本的には意図される。重なって当接する複数の層を含む壁１４の領域は、細長い部材１２への前述の影響のすべてに対する高められた保護を提供し、特に衝撃力に対する高められた保護を提供すると同時に、スリーブ１０が最小の外囲を占めることを可能にすることにより、狭い範囲において有用となる。
【００４０】
本発明の１つの局面によれば、スリーブ１０は、図２Ａおよび図３Ａに示されるように、外周１６の全体または実質的に全体の周りに、互いに重なって当接する複数の層を有する。複数の層は、１つの端部２０から反対側の端部２２まで、壁１４の直径方向に対向する側に沿って、キャビティ１７の周りに延在する。例示であって限定ではないが一対の層２８，２８’として示される、重なって当接する層の１つのセットが、軸１８の片側に沿って延在し、例示であって限定ではないが一対の層３０，３０’として示される、重なって当接する層の別のセットが、軸１８の反対側に沿って延在する。層２８，２８’は、対向する長手方向に延在する縁部３２，３４に沿って、層３０，３０’と一体的に固定され相互接続される。層２８，２８’の層３０，３０’との相互接続は、直接、織機上などで、たとえば層２８，２８’，３０，３０’の両方のセットに共通な緯糸を介して、および／または、バインダーヤーンとよばれることもある縁部３２，３４の一方または両方を接合するために縫い合わせられる別の糸を介して、層２８，２８’，３０，３０’の織りと同時に行われてもよい。１つの例では、１つの縁部３２が編ステッチ３６を介して相互接続される一方、反対側の縁部３４は層２８，２８’，３０，３０’の両方のセットに共通する緯糸３８を介して相互接続される。
【００４１】
層２８，２８’，３０，３０’は各々、収縮可能な横糸２６を含む。層２８，２８’，３０，３０’の横糸は、全体的に収縮可能な糸から、または部分的に収縮可能な糸から提供されてもよい。部分的に収縮可能な糸で提供給される場合は、残りの非収縮可能な糸２６の少なくともいくつかは、それと並んで当接する関係で撚り合わされる、供給されるまたは挿入されることによるなどして、収縮可能な横糸２６と単一のピックとして束ねられた関係で織られ得る。他の態様では、非収縮可能な横糸２６が、収縮可能な横糸２６から、単一の糸として、したがって別のピックとして織られてもよいことが考えられる。
【００４２】
収縮可能な横糸２６が収縮されていない状態で織られることによって、キャビティ１７がそこを通る細長い部材１２を容易に受容するように好適にサイズ決めされるように拡大されている壁１４を有して、スリーブ１０は形成される。織られたままの第１の直径と収縮されたときの第２の直径との間の比率は、約１．５：１〜５：１またはそれ以上の間の範囲にわたり得る。このように、細長い部材１２が拡大された付属品、コネクタ、独特な形状の分岐などを有する場合、それは依然としてスリーブ１０のキャビティ１７を通って容易に挿入されることができる。収縮可能な横糸２６は、マルチフィラメントまたはモノフィラメントのいずれかとして提供されてもよく、約５０〜１００００デニールの間の範囲にあるサイズを有して提供されてもよい。キャビティ１７を通って細長い部材１２を配置する際、用いられる収縮可能な横糸２６のタイプに応じて、熱、流体、および紫外線照射の少なくとも１つの選択された印加を介して、壁１４は活性化されて細長い部材１２の周りに密接嵌合のぴったりとした関係になるように収縮し得る（図１Ａ）。したがって、スリーブ１０は、二次的な固定機構の必要なく細長い部材１２の周りに固定されることにより、クランプ、ストラップ、テープなどの必要をなくす。またさらに、織られた壁１４は、収縮される際、密度を高くされるため、とりわけ耐衝撃性、耐摩耗性、不浸透性などの壁１４の保護特性は大いに上昇する。たとえば、密度は、収縮されてない状態における第１の密度から収縮された状態における第２の密度まで、２倍以上増加され得る。１つの例では、例示であって限定ではないが、密度は２４３ｋｇ／ｍ3から５５２ｋｇ／ｍ3まで増加された。加えて、壁１４が細長い部材１２の周りへの密接なぴったりとした嵌合に持ち込まれることによって、壁１４の厚さおよび外囲が最小化されることにより、狭いエリアで有用となる。１つの例では、例示であって限定ではないが、壁１４の仕上げ厚さは、約２．６ｍｍであった。
【００４３】
縦糸２４は、ＰＥＴ、ナイロン、ＰＰ、ＰＥ、ＰＰＳ、ＰＥＥＫ、およびノメックス材料糸のうちの少なくとも１本のマルチフィラメントおよび／またはモノフィラメントとして提供され得る。縦糸２４のデニールは、５０〜１００００の範囲であり得る。例示であって限定ではないが、１２００デニールのＰＥＴなどの比較的嵩高いマルチフィラメントは、衝撃力を減ずることをさらに容易にするような増加された嵩高性を提供するとともに、スリーブ１０の可撓性を高めることがわかっている。縦糸密度、すなわち縦糸２４の端部の数は、意図された用途のために所望のとおりに調整され得る。高い密度は、「織られたままの組付け部品の状態」から収縮された状態まで、直径収縮の比率を小さくする傾向にあるが、増加された耐衝撃性を提供する。
【００４４】
図２Ｄおよび図３Ｄでは、本発明の別の局面に従ってスリーブ１１０が示される。同じ参照符号が、図２Ａおよび図３Ａのスリーブ１０に関して説明されたものと同様の構成を示すために用いられる。互いに重なる複数の層２８，２８’および３０，３０’は、それぞれの層２８，２８’と３０，３０’との間への細長い部材１２の不注意による挿入を防止するために、選択位置においてそれぞれの複数の層２８，２８’および３０，３０’に共通する１本以上の緯糸を介してともに織られて、層２８，２８’をともに束ねかつ層３０，３０’をともに束ねる連結ステッチまたはタイ４０を介して相互接続領域を形成することによるなどして、ともに相互接続されてもよい。これにより、細長い部材１２が意図されたキャビティ１７で配置されることを確保する。したがって、互いに重なって当接する複数の層２８，２８’および３０，３０’は、それぞれ、ともに効果的に固定されて、層２８，３０のうちの一方から延在し、かつ重なって当接する層２８’，３０’のうちの他方の中の１つ以上の縦糸２４の上に蛇行する少なくとも１本の緯糸４０を介して、層２８，２８’および３０，３０’の互いからの分離を防止する。相互連結位置の数およびその位置は、所望のとおりに選択され得ることが認識されるべきである。スリーブ１１０が、図４に示される。一対のタイ４０が、両端部２０，２２の各々に隣接して存在し、これにより、説明されたように、層２８，２８’および３０，３０’の互いからの不注意による分離を防止する。所望のとおりのタイが所望のとおりにスリーブ１１０の外周のまわりかつスリーブ１１０の長さに沿って形成されてもよいことが認識されるべきである。
【００４５】
図５および図５Ａには、本発明の別の局面に従ってスリーブ２１０が示される。同じ参照符号が、図２Ａおよび図３Ａのスリーブ１０に関して説明されたものと同様の構成を示すために用いられる。互いに重なる複数の層２８，２８’および３０，３０’は、少なくとも１本の縦糸２４を層２８，３０のうちの最外のものの中の１本以上の緯糸２６の上（over）および層２８’，３０’のうちの最内のものの中の１つ以上の緯糸２６の上（over）に蛇行するように織ることを介して連結ステッチを形成することによるなどして、相互連結され得る（図６および図７を参照。用語「上（over）」は、縦糸２４が対応する緯糸２６から径方向外側に延在して対応する緯糸２６の周囲に延在することを意味するように意図されることが認識されるべきである）。連結ステッチ４０は、例示であって限定ではないが、一方の端部２２から反対の端部２２までのスリーブ２１０の全体長さに沿って延在するように示される、スリーブ２１０の軸方向に延在する長さの少なくとも一部に沿って延在し得る。重なって当接するそれぞれの層２８，２８’および３０，３０’が連結ステッチ４０を介して相互接続され結び付けられることにより、互いに固定されるそれぞれの層２８，２８’および３０，３０’間への保護対象となる細長い部材１２の不注意による挿入が防止され、これにより細長い部材１２が意図された中央キャビティ１７内に配置されることが確保される。したがって、スリーブ２１０の全体保護特性が、意図されたとおりに、細長い部材１２に対して与えられる。スリーブ１１０のための連結ステッチ４０に関して上述されたように、連結ステッチ４０は、所望のとおりに、重なって当接する層２８，２８’および３０，３０’の各々の間に延在する単一の連結ステッチとして形成されてもよく、または、互いに周方向に離間される複数の連結ステッチとして提供されてもよい。
【００４６】
本発明の別の局面によれば、壁１４は、残りの糸のそれよりも低い融点を有する低融点糸（low melt yarn）を含んで織られ得る。低融点糸は、融解される際、スリーブを所定の長さに切断し、端部ほつれの可能性を最小化することを容易にする。低融点糸は、選択された位置で、横糸２６および／または縦糸２４として含まれてもよい。
【００４７】
本発明の別の局面によれば、直径方向に拡大された組付け部品の第１の状態は、第１の直径を有して提供されてもよく、直径方向に縮径された第２の状態は、第２の直径を有して提供されてもよい。第１の直径と第２の直径との比率は、約１．５〜１０、またはそれ以上の間の範囲にあり得る。
【００４８】
図２Ｂおよび図３Ｂには、本発明の別の局面に従ってスリーブ１０’が示される。スリーブ１０’は、図２Ａおよび図３Ａのスリーブ１０とは対照的に、１つの端部から反対側の端部まで延在する第１の層数を有する側のうちの一方と、１つの端部から反対側の端部まで延在する第２の層数を有する側のうちの他方とを有する。第１の層数および第２の層数は異なり、これにより互いに異なるレベルの衝撃力に対する保護を提供し、所定の用途のための最適な厚さおよび外囲を有する壁１４’を提供する。示される例では、片側が単一の織られた層２８を有するため、重量、厚さを最小化し、可撓性を高める一方、反対側は、互いに重なる一対の織られた層３０，３０’を有する。このように、織られた層３０，３０’は、衝撃力ならびに摩耗および汚染などの他の可能性のあるダメージ要因に対する暴露を経験する可能性が増加することが予想される使用中の方向に向かって方向付けられることが意図される。層の数の相違以外は、壁１４’の構築は、概ね上述されたものと同様であるため、さらなる議論は必要でない。
【００４９】
図２Ｃおよび図３Ｃには、本発明の別の局面に従ってスリーブ１０”が示される。スリーブ１０”は、図２Ｂおよび図３Ｂのスリーブ１０’とは対照的に、１つの端部から反対側の端部まで延在する単一の織られた層２８を有する片側を有すると共に、反対側は、互いに重なりかつ１つの端部から反対側の端部まで延在する３つの織られた層３０，３０’，３０”を有する側を有する。このように、多層化された側は、キャビティ１７に含まれる細長い部材への、特に衝撃力に対するさらに高められた保護を提供する。層の数の相違以外は、壁１４”の構築は概ね上述されたものと同様であるため、さらなる議論は必要ではない。
【００５０】
議論されたおよび示された実施形態の各々において、多層を有する壁の部分は、各層が同じ糸材料または互いに異なる糸材料から形成されて構築され得る。さらに、各層は、同じ織パターンまたは互いに異なる織パターンを有して形成されてもよい。したがって、多層領域のうちの１つ以上の層は、１つのタイプの糸（１つの材料、および、たとえば平織（plain）、バスケット織（basket）、綾織（twill）、朱子織（satin）などの１つのタイプの織パターンからなる、モノフィラメントおよび／またはマルチフィラメントを含む）から形成されてもよく、一方、多層領域のうちの他の層は、異なるタイプの糸および／または異なる織パターン（異なる材料および１つのタイプの異なる織パターンからなる、モノフィラメントおよび／またはマルチフィラメントを含む）から形成されてもよい。このように、壁および多層領域の個々の層は、所望のタイプの所望される保護のために最適化され得る。
【００５１】
言うまでもなく、本発明の多くの修正および変形が上記の教示に照らして可能である。すべての請求項のおよびすべての実施形態のすべての構成は、そのような組み合わせが互いに矛盾しない限り、互いに組み合わされることができることが考えられる。したがって、添付の請求項の範囲内で、本発明は、特定的に説明された以外の態様で実施され得ることが理解されるべきである。
【図１】
2019525024.tif 000003
【図１Ａ】
2019525024.tif 000004
【図２Ａ】
2019525024.tif 000005
【図２Ｂ】
2019525024.tif 000006
【図２Ｃ】
2019525024.tif 000007
【図２Ｄ】
2019525024.tif 000008
【図３Ａ】
2019525024.tif 000009
【図３Ｂ】
2019525024.tif 000010
【図３Ｃ】
2019525024.tif 000011
【図３Ｄ】
2019525024.tif 000012
【図４】
2019525024.tif 000013
【図５】
2019525024.tif 000014
【図５Ａ】
2019525024.tif 000015
【図６】
2019525024.tif 000016
【図７】
2019525024.tif 000017
【国際調査報告】
2019525024.tif 000018
2019525024.tif 000019
2019525024.tif 000020